(57)【要約】【課題】燃焼が停止した後に、バーナ７に燃焼用空気を送るファン８を一定時間回転させ、給排気機能の安全確認をする燃焼装置にあって、前記ファンの回転回数の軽減で、ファン回転による振動伝達を抑制する。【解決手段】燃焼が停止した場合、前記ファンを一定時間回転させた後に、ファンの出力値を検出し、ファン出力値が一定値よりも低い場合には外部入力装置１２にエラー表示または機器の使用を停止させるようにしたものにおいて、ファン８の回転数を最大回転数に近い一定回転数で回転させるとき、１度比較を終了してから、所定の時間を過ぎないと、再度ファンの出力値の比較を行わない構成にし、燃焼停止後の度毎にファンを回転させないようにして、燃焼装置を壁に設置した際に部屋の中等に振動を伝えてしまうのを軽減する。【選択図】図１
2008101863.tif 000002
【特許請求の範囲】
【請求項１】
水通路に設け、水の流通及び停止を検出する水量センサーと、水を加熱する熱交換器と、前記熱交換器を加熱するバーナと、前記バーナに燃焼用空気を送るファンと、装置の運転の入切や運転状態及びエラーの表示ができる外部入力手段と、前記水量センサーの流水停止信号または前記外部入力手段の運転切の信号により、前記バーナが燃焼を停止した状態で前記ファンの出力値を検出するファン出力検出手段とを備え、前記ファン出力検出手段は、前記バーナの燃焼時間が一定時間を経過した後、または前記バーナの燃焼量が一定量以上で燃焼した後にバーナの燃焼が停止した場合、前記ファンを一定時間回転させた後にファンの出力値を検出し、前記ファン出力値が比較した一定値よりも低い場合には前記外部入力手段にエラー表示または装置を停止させるようにしたものにおいて、前記ファン出力検出手段は、前記バーナの燃焼停止後の前記ファンを一定時間回転させたとき、前記ファン出力値の比較において１度比較を終了してから所定の時間を過ぎないと再度、前記ファン出力値の比較と前記ファンの回転を行わないように構成にした燃焼装置。
【請求項２】
水通路に設け、水の流通及び停止を検出する水量センサーと、水を加熱する熱交換器と、前記熱交換器を加熱するバーナと、前記バーナに燃焼用空気を送るファンと、装置の運転の入切や運転状態及びエラーの表示ができる外部入力手段と、前記水量センサーの流水停止信号または前記外部入力手段の運転切の信号により、前記バーナが燃焼を停止した状態で前記ファンの出力値を検出するファン出力検出手段とを備え、前記ファン出力検出手段は、前記バーナの燃焼時間が一定時間を経過した後、または前記バーナの燃焼量が一定量以上で燃焼した後にバーナの燃焼が停止した場合、前記ファンを一定時間回転させた後にファンの出力値を検出し、ファン出力値が比較した一定値よりも低い場合には前記外部入力手段にエラー表示または装置を停止させるようにしたものにおいて、前記ファン出力検出手段は前記バーナの燃焼停止後の前記ファンを一定時間回転させたとき、前記ファン出力値の比較と前記ファンの回転を、１日に最大で所定の回数だけ行う構成にした燃焼装置。
【請求項３】
水通路に設け、水の流通及び停止を検出する水量センサーと、水を加熱する熱交換器と、前記熱交換器を加熱するバーナと、前記バーナに燃焼用空気を送るファンと、装置の運転の入切や運転状態及びエラーの表示ができる外部入力手段と、前記水量センサーの流水停止信号または前記外部入力手段の切の信号により前記バーナが燃焼を停止した状態で前記ファンの出力値を検出するファン出力検出手段とを備え、前記ファン出力検出手段は、前記バーナの燃焼時間が一定時間を経過した後、または前記バーナの燃焼量が一定量以上で燃焼した後にバーナの燃焼が停止した場合、または装置が停止している場合に、前記ファンを一定時間回転させた後にファンの出力値を検出し、ファン出力値が比較した一定値よりも低い場合には前記外部入力手段にエラー表示または装置を停止させるようにしたものにおいて、前記ファン出力検出手段は、１日の所定の時間に、前記ファンを一定時間回転させた後に、ファンの出力値を検出し、ファン出力値が一定値よりも低い場合には前記外部入力手段にエラー表示または装置の使用を停止させるようにした燃焼装置。
【請求項４】
水通路に設け、水の流通及び停止を検出する水量センサーと、水を加熱する熱交換器と、前記熱交換器を加熱するバーナと、前記バーナに燃焼用空気を送るファンと、装置の運転の入切や運転状態及びエラーの表示ができる外部入力手段と、前記水量センサーの流水停止信号または前記外部入力手段の切の信号により前記バーナが燃焼を停止した状態で前記ファンの出力値を検出するファン出力検出手段とを備え、前記ファン出力検出手段は、前記バーナの燃焼時間が一定時間を経過した後、または前記バーナの燃焼量が一定量以上で燃焼した後にバーナの燃焼が停止した場合、または装置が停止している場合に、前記ファンを一定時間回転させた後にファンの出力値を検出し、ファン出力値が比較した一定値よりも低い場合には前記外部入力手段にエラー表示または装置を停止させるようにしたもの
において、前記ファン出力検出手段は、前記バーナの燃焼が停止した場合、前記ファンの出力を制御する制御手段に１日の定められた時間をメモリーに設定し記憶させ、毎日その定められた時間に、前記ファンを一定時間回転させた後に、ファンの出力値を検出し、ファン出力値が一定値よりも低い場合には前記外部入力手段にエラー表示または機器の使用を停止させるようにした燃焼装置。
【請求項５】
ファン出力検出手段は、１度、ファン出力値の検出を終了してから、所定の時間を過ぎてもバーナが連続的な燃焼を行っているとき、強制的に燃焼停止状態にし、前記ファンを一定時間回転させた後に、ファンの出力値を検出し、ファン出力値が一定値よりも低い場合には前記外部入力手段にエラー表示または機器の使用を停止させるようにした請求項１〜４のいずれか１項に記載の燃焼装置。
【請求項６】
ファン制御手段を有し、前記ファン制御手段は、ファン出力検出手段が、バーナの燃焼時間が一定時間を経過した後、またはバーナの燃焼量が一定量以上で燃焼した後に、バーナの燃焼が停止した場合に、ファンを一定時間回転させた後にファンの出力値を検出する際、前記ファンを一定時間回転させるとき、所定のファン回転数までファン回転数を段階的に上昇させる請求項１〜５のいずれか１項に記載の燃焼装置。
【発明の詳細な説明】
【技術分野】
【０００１】
本発明は、燃焼用空気をバーナに供給するファンの出力が低下した場合の安全性を改良した装置にあって、前記ファンによる振動を抑制した燃焼装置に関するものである。
【背景技術】
【０００２】
従来のこの種の燃焼装置を搭載した給湯器は図３に示すような構成になっていた。水は、水入口より入水温度センサ１、水量センサ２を通り、熱交換器３で熱を吸収し、出湯温度センサ４を通り、出口より湯が放出される。ガスは、入口よりガス元電磁弁５、ガス比例弁６を通り、ファン８から送られる燃焼用空気と共に、バーナ７で燃焼する。そして、一般的に給湯器の排気口や給気口が長期の使用で埃等が付着し閉塞気味になると、燃焼用空気の不足からバーナ７の燃焼が悪くなる。
【０００３】
一方、給湯器の運転及び蛇口からの出湯を停止すると、水量センサ２が水通路の水の流通停止を検出し、この信号によりバーナ７が燃焼を停止するとともに、その後もファン８を一定時間回転させて装置内の排ガス等を排出する。このようにファン８がバーナの燃焼停止後の一定時間回転している時に、ファン出力検出手段１５はファン８を駆動しているモータの負荷変動によるモータの電流または電圧であるファン８の出力値を検出し、このファン出力値が良好な燃焼状態の時の一定値よりも低い場合には、エラー表示手段１１により外部入力手段１２にエラー表示をすることで、上記した給湯器の排気口や給気口が閉塞気味になると、燃焼用空気の不足からバーナ７の燃焼が悪くなった状態を知らしめるものである。
【０００４】
また、ファン出力値の測定のばらつきを考慮し、ファン出力値が一定の値よりも低い場合が複数回連続して発生した場合には、外部入力手段１２にエラーを表示、もしくは機器を停止させていた。
【０００５】
また、燃焼時間の長さで燃焼室内の温度が変化することがあり、この影響によるファン出力値の測定のばらつきを考慮し、バーナ７の燃焼時間が一定時間経過後に、バーナ７の燃焼が停止した場合に、ファン８を一定時間回転させた後に、ファン８の出力値を検出し、ファン出力値が一定の値よりも低い場合には、外部入力手段１２の表示部１４にエラー表示を出す。
【０００６】
また、燃焼量の大きさで燃焼室内の温度が変化することがあり、この影響によるファン出力値の測定のばらつきを考慮し、バーナ７の燃焼量が一定量以上の場合に、バーナ７の燃焼が停止した場合に、ファン８を一定時間回転させた後に、ファン８の出力値を検出し、ファン出力値が一定の値よりも低い場合には、外部入力手段１２の表示部１４にエラーを表示、もしくは機器を停止させていた。図中、１６はファン制御手段である（例えば、特許文献１参照）。
【特許文献１】特開平９−１１２８９９号公報
【発明の開示】
【発明が解決しようとする課題】
【０００７】
しかしながら、前記従来の構成および動作では、燃焼装置が壁に設置されて使用している場合等において、所定の燃焼時間以上、燃焼継続するとファンを最大回転数に近い一定回転数で回転している場合、ファンの回転による振動が、壁から部屋の中等に振動を伝えてしまう。このような状態が、所定の燃焼時間以上燃焼を繰り返すたびに最大回転数に近い一定回転数での回転を繰り返すことになり、その度に、壁から部屋の中等に振動を伝え
てしまい、使用者は不快に感じてしまうという課題があった。
【０００８】
上記従来の課題に鑑み、本発明が解決しようとする課題は、燃焼時におけるファンの回転による振動が伝わるのを抑制した燃焼装置を提供することにある。
【課題を解決するための手段】
【０００９】
上記課題を達成するために本発明の燃焼装置は、バーナの燃焼停止後に一定時間、バーナへ燃焼用空気を供給するファンが回転している時に、前記ファンの出力値を検出し、前記ファン出力値が一定値よりも低い場合には前記外部入力手段にエラー表示または装置を停止させるものにあって、ファン出力検出手段は前記ファン出力値の比較で１度比較を終了してから、所定時間を過ぎないと再度、ファンの出力値の比較及び前記ファンの回転を行わない構成にしたものである。
【００１０】
これによって、燃焼装置の設置が壁に設置されている場合等において、所定の燃焼時間以上燃焼を繰り返すたびにファンの回転を繰り返すことにより、その度に壁から部屋の中等に振動を伝えてしまう従来のような事態は軽減されるものである。
【発明の効果】
【００１１】
本発明の燃焼装置は、ファン出力値の比較で１度比較を終了してから、所定時間を過ぎないと再度、ファンの出力値の比較とファンの回転を行わないように構成にしたので、バーナの燃焼停止を繰り返す度にファンが回転することがなくなり、例えば壁から部屋の中等に振動が伝わるのを軽減することができる。
【発明を実施するための最良の形態】
【００１２】
第１の発明は、水通路に設け、水の流通及び停止を検出する水量センサーと、水を加熱する熱交換器と、前記熱交換器を加熱するバーナと、前記バーナに燃焼用空気を送るファンと、装置の運転の入切や運転状態及びエラーの表示ができる外部入力手段と、前記水量センサーの流水停止信号または前記外部入力手段の運転切の信号により、前記バーナが燃焼を停止した状態で前記ファンの出力値を検出するファン出力検出手段とを備え、前記ファン出力検出手段は、前記バーナの燃焼時間が一定時間を経過した後、または前記バーナの燃焼量が一定量以上で燃焼した後に燃焼が停止した場合、前記ファンを一定時間回転させた後にファンの出力値を検出し、ファン出力値が一定値よりも低い場合には前記外部入力手段にエラーを表示もしくは装置の使用を停止させるようにしたものにおいて、前記ファン出力検出手段は前記ファンを一定時間回転させたとき、前記ファン出力値の比較において１度比較を終了してから所定時間を過ぎないと再度、前記ファン出力値の比較と前記ファンの回転を行わない構成にした燃焼装置である。
【００１３】
これにより、頻繁に発生するファンの出力値の検出を行うためのファン回転を抑制することができ、燃焼装置の設置が壁に設置されている場合等において、所定の燃焼時間以上燃焼を繰り返すたびに最大回転数での回転を繰り返すことにより、その度に、壁から部屋の中等に振動を伝えてしまい、使用者は不快に感じてしまうのを軽減することができる。
【００１４】
第２の発明は、水通路に設け、水の流通及び停止を検出する水量センサーと、水を加熱する熱交換器と、前記熱交換器を加熱するバーナと、前記バーナに燃焼用空気を送るファンと、装置の運転の入切や運転状態及びエラーの表示ができる外部入力手段と、前記水量センサーの流水停止信号または前記外部入力手段の運転切の信号により、前記バーナが燃焼を停止した状態で前記ファンの出力値を検出するファン出力検出手段とを備え、前記ファン出力検出手段は、前記バーナの燃焼時間が一定時間を経過した後、または前記バーナの燃焼量が一定量以上で燃焼した後に燃焼が停止した場合、前記ファンを一定時間回転させた後にファンの出力値を検出し、ファン出力値が一定値よりも低い場合には前記外部入
力手段にエラー表示または装置の使用を停止させるようにしたものにおいて、前記ファン出力検出手段は前記バーナの燃焼停止後の前記ファンを一定時間回転させるとき、前記ファン出力値の比較と前記ファンの回転を、１日に最大で所定の回数だけ行う構成にした燃焼装置である。
【００１５】
これにより、所定の回数の間だけは、ファン出力の検出とバーナの燃焼停止後のファンの回転を行うので、第１の発明よりも安全でかつ、従来の燃焼装置に対して壁から部屋の中等に振動を伝えてしまい、使用者は不快に感じてしまうのを軽減することができる。
【００１６】
第３の発明は、水通路に設け、水の流通及び停止を検出する水量センサーと、水を加熱する熱交換器と、前記熱交換器を加熱するバーナと、前記バーナに燃焼用空気を送るファンと、装置の運転の入切や運転状態及びエラーの表示ができる外部入力手段と、前記水量センサーの流水停止信号または前記外部入力手段の切の信号により前記バーナが燃焼を停止した状態で前記ファンの出力値を検出するファン出力検出手段とを備え、前記ファン出力検出手段は、前記バーナの燃焼時間が一定時間を経過した後、または前記バーナの燃焼量が一定量以上で燃焼した後にバーナの燃焼が停止した場合、または装置が停止している場合に、前記ファンを一定時間回転させた後にファンの出力値を検出し、ファン出力値が比較した一定値よりも低い場合には前記外部入力手段にエラー表示または装置を停止させるようにしたものにおいて、前記ファン出力検出手段は、１日の所定の時間に、前記ファンを一定時間回転させた後に、ファンの出力値を検出し、ファン出力値が一定値よりも低い場合には前記外部入力手段にエラー表示または装置の使用を停止させるようにした燃焼装置である。
【００１７】
これにより、１日の所定の時間にのみ、ファン出力の検出とバーナの燃焼停止後のファンの回転を行うので、使用者は、ファン出力の検出を行うファン回転による振動がいつ行われるかを知ることができ、壁から部屋の中等に振動を伝える時間が分かり、使用者は不快に感じてしまうという課題を抑制することができる。
【００１８】
第４の発明は、水通路に設け、水の流通及び停止を検出する水量センサーと、水を加熱する熱交換器と、前記熱交換器を加熱するバーナと、前記バーナに燃焼用空気を送るファンと、装置の運転の入切や運転状態及びエラーの表示ができる外部入力手段と、前記水量センサーの流水停止信号または前記外部入力手段の切の信号により前記バーナが燃焼を停止した状態で前記ファンの出力値を検出するファン出力検出手段とを備え、前記ファン出力検出手段は、前記バーナの燃焼時間が一定時間を経過した後、または前記バーナの燃焼量が一定量以上で燃焼した後にバーナの燃焼が停止した場合、または装置が停止している場合に、前記ファンを一定時間回転させた後にファンの出力値を検出し、ファン出力値が比較した一定値よりも低い場合には前記外部入力手段にエラー表示または装置を停止させるようにしたものにおいて、前記ファン出力検出手段は、前記バーナの燃焼が停止した場合、前記ファンの出力を制御する制御手段に１日の定められた時間をメモリーに設定し記憶させ、毎日その定められた時間に、前記ファンを一定時間回転させた後に、ファンの出力値を検出し、ファン出力値が一定値よりも低い場合には前記外部入力手段にエラー表示または機器の使用を停止させるようにした燃焼装置である。
【００１９】
これにより、毎日その定められた時間のみに、ファン出力の検出とバーナの燃焼停止後にファンの回転を行うので、使用者はファン出力の検出を行うファン回転による振動がいつ行われるかを知ることができ、かつ使用者が自由に前記時間を設定することができるので、壁から部屋の中等に振動を伝える時間が分かり、使用者は不快に感じてしまうという課題を抑制することができる。
【００２０】
第５の発明は、第１〜第４の発明のいずれかの発明のファン出力検出手段は、ファンを
一定時間回転させるとき、１度、ファン出力値の検出を終了してから、所定の時間を過ぎて、再度ファンの出力の比較を行うときにバーナが連続的な燃焼を行っているときには、強制的に燃焼停止状態にし、ファンを一定時間回転させた後に、ファン出力値の検出を行うので、第１の発明から第４の発明において、ファン出力値の検出を行う条件が来たときに、バーナが連続的な燃焼を行っていると、安全装置としての機能を果たすことができず、危険な状態となるため、強制的に燃焼停止状態にし、ファン出力値の比較を行い安全な燃焼装置を提供することができる。
【００２１】
第６の発明は、第１〜第５の発明のいずれか１つの発明において、ファン制御手段を有し、前記ファン制御手段は、ファン出力検出手段が、バーナの燃焼時間が一定時間を経過した後、またはバーナの燃焼量が一定量以上で燃焼した後に、バーナの燃焼が停止した場合に、ファンを一定時間回転させた後にファンの出力値を検出する際、前記ファンを一定時間回転させるとき、所定のファン回転数までファン回転数を段階的に上昇させる燃焼装置である。
【００２２】
これにより、ファン出力検出手段が、バーナの燃焼が停止した場合に、ファンを一定時間回転させた後にファンの出力値を検出する際ファンを一定時間回転させるときに、所定のファン回転数までファン回転数を段階的に上昇させるので、ファンの回転数を最大回転数に近い一定回転数で回転させるとき、突然高回転でファンが回転しないため、壁から部屋の中等に急激に高速回転で回転するファンの振動を伝えることがなく、使用者は不快に感じてしまうという課題を解決することができる。
【００２３】
以下、本発明の実施の形態について、図面を参照しながら説明する。なお、この実施の形態によって本発明が限定されるものではない。また、本実施の形態の説明において、同一構成で同一作用効果を奏するところには同一符号を付して重複した説明を行わないものとする。
【００２４】
（実施の形態１）
図１は、本発明の実施の形態１における燃焼装置である給湯器の構成図である。図１において、水は、水入口より入水温度センサ１、水量センサ２を通り、熱交換器３で熱を吸収し、出湯温度センサ４を通り、出口より湯が放出される。ガスは、入口よりガス元電磁弁５、ガス比例弁６を通り、ファン８から送られる燃焼用空気と共に、バーナ７で燃焼する。そして、一般的に給湯器の燃焼した排ガスを排出する排気口（図示せず）やバーナ７への燃焼用空気を吸引する給気口（図示せず）が長期に使用で埃等が付着して閉塞気味になると、燃焼用空気の不足でバーナ７の燃焼状態が悪くなる。
【００２５】
一方、給湯器の運転を停止または蛇口を閉じて出湯を停止すると、水量センサ２が水通路の水の流通停止を検出し、この信号によりバーナ７が燃焼を停止するとともに、その後もファン８を一定時間回転させて装置内の排ガス等を排出する。このようにファン８がバーナ７の燃焼停止後の一定時間回転している時に、ファン出力検出手段９はファン８を駆動しているモータ（図示せず）の負荷変動によるモータの電流または電圧であるファン８の出力値を検出し、このファン出力値が良好な燃焼状態の時の一定値よりも低いことを検出する。
【００２６】
そして、この検出信号を受けたエラー表示手段１１により外部入力手段１２の表示部１４にエラー表示をする、または装置の使用を停止することで、上記した給湯器の排気口や給気口が閉塞気味になると、燃焼用空気の不足からバーナ７の燃焼が悪くなった状態を知らしめるものである。
【００２７】
特に、本実施の形態では、バーナ７の燃焼停止後のファン８を一定時間、最大回転数に
近い一定回転数で回転させたとき、ファン出力検出手段９は、ファン８の出力値を一定値（バーナ７が良好な燃焼状態にあるときのファン８を駆動するモータの電流又は電圧の値）との比較を行い、この１度の比較を終了してから、所定の時間、例えば１度比較したその日１日が過ぎないと、再度、ファン８の出力値の比較を行わないようにすると共に、バーナ７の燃焼停止後のファン８の回転も行わないように構成したものである。
【００２８】
図中、１０はファン制御手段で、ファン出力検出手段９、ファン制御手段１０、エラー表示手段１１を含み、かつ給湯器の全体の運転、停止等を行う制御手段１３は、マイクロコンピュータ及びその周辺回路から主として構成され、上記した動作、作用を実行するためのプログラムが記憶部に内臓されているものである。
【００２９】
以上のように構成することにより、給湯器の排気口や給気口が長期にわたる使用で埃などが付着して閉塞気味になり、良好燃焼に必要な空気が得られなくなりバーナ７の燃焼が悪くなった状態にあった時では、給湯器の運転を停止するとファン出力検出手段９は、ファン８が燃焼停止後の一定時間回転しているので、ファン８の出力値を検出し、ファン出力値が一定値よりも低いことを検出し、この検出信号を受けてエラー表示手段１１により外部入力手段１２の表示部１４にエラー表示をする、または装置の次の使用を停止させる。
【００３０】
もちろん、給湯器の排気口や給気口が長期にわたる使用でもホコリなどが付着せず、良好燃焼に必要な空気が得られバーナ７の燃焼が良好な状態において給湯器の運転を停止した際でも、ファン出力検出手段９は上記したファン８の出力値の検出を行うが、ファン出力値が一定値の範囲にあるのでエラー表示をしないし、または装置の次の使用を停止させることもない。
【００３１】
そして、このようなファン出力検出手段９によるファン８の出力値を一定値との比較を１度行うと、それ以降の所定時間、例えばその日１日はファン出力値の比較を行わず、かつバーナの燃焼停止後のファン８の回転も行わない。その日が終わり、翌日になれば、上記したようにファン出力検出手段９は再び、ファン出力値が一定値の範囲にあるかどうかの検出を行うものである。
【００３２】
従って、燃焼装置である給湯器を使用する度毎、つまりファン出力検出手段９は頻繁に発生するファン８の出力値の検出を抑制し、かつファンの回転をしないようにすることができ、燃焼装置が壁に設置されている場合等において、所定の燃焼時間以上燃焼を繰り返すたびに最大回転数でのファンが回転を繰り返すことにより、その度に、壁から部屋の中等に振動を伝えてしまい、使用者は不快に感じてしまうという課題を解決することができる。
【００３３】
なお、上記実施の形態でファン出力検出手段９は、バーナの燃焼時間が一定時間を経過した後にバーナの燃焼が停止した場合、前記ファンを一定時間回転させた後にファンの出力値を検出比較したが、次のような場合でも、本実施の形態と同様の作用効果を発揮するものである。
【００３４】
バーナの燃焼量の大きさで燃焼室内の温度が変化することがあり、この影響によるファン出力値の測定のばらつきを考慮し、バーナ７の燃焼量が一定量以上の場合に、バーナ７の燃焼が停止した場合に、ファン８を一定時間回転させた後に、ファン８の出力値を検出し、ファン出力値が一定の値よりも低い場合には、外部入力手段１２の表示部１４にエラーを表示、もしくは機器の使用を停止させる。
【００３５】
（実施の形態２）
本発明の実施の形態２における燃焼装置である給湯器につき、図１に示す実施の形態１における給湯器の構成図を利用して説明する。本実施の形態は、実施の形態１で採用したファン出力検出手段９の構成が次のように異なり、それ以外の構成並びに作用効果は同じなので詳細な説明を省略し、異なるところを中心に説明する。
【００３６】
一般的に、長期間の使用で給湯器の排気口や給気口に埃が付着して閉塞気味になると、燃焼空気の供給が不足になりバーナ７の燃焼状態が悪くなる。このような状態を検出する手段として、ファン出力検出手段９が設けてある。
【００３７】
本実施の形態のファン出力検出手段９は、バーナ７の燃焼時間が一定時間を経過した後、またはバーナ７の燃焼量が一定量以上で燃焼した後にバーナの燃焼が停止した場合、ファン８を一定時間回転させた後にファンの出力値を検出し、ファン出力値が一定値よりも低い場合には外部入力手段１２にエラー表示または装置を停止させるものであり、そして、ファン出力検出手段９は前記したバーナ７の燃焼停止後のファン８を一定時間回転させたとき、ファン出力値の比較とファン８の回転を、１日に最大で所定の回数、例えば朝と晩の２回だけ行う構成にしたものである。
【００３８】
以上のように構成することにより、給湯器の排気口や給気口が長期にわたる使用で埃などが付着して閉塞気味になり、良好燃焼に必要な空気が得られなくなりバーナ７の燃焼が悪くなった状態にあった時では、給湯器の運転を停止するとファン出力検出手段９は、ファン８が燃焼停止後の一定時間回転しているので、ファン８の出力値を検出し、ファン出力値が一定値よりも低いことを検出し、この検出信号を受けてエラー表示手段１１により外部入力手段１２の表示部１４にエラー表示をする、または装置の次の使用を停止させる。
【００３９】
そして、このようなファン出力検出手段９によるファン８の出力値を一定値との比較を、朝と晩の１日２回だけ行うが、それ以外における給湯器の使用においては行わないとともにバーナ７の燃焼停止後におけるファン８の回転も行わない。
【００４０】
従って、１日に最大で、所定の回数、例えば朝と晩の２回だけは、ファン８出力値の検出と回転を行うことができるので、実施の形態１の発明よりも安全でかつ、従来の燃焼装置よりも壁から部屋の中等への振動を伝えが軽減され、使用者は不快に感じてしまうという課題を解決することができる。
【００４１】
（実施の形態３）
本発明の実施の形態３における燃焼装置である給湯器につき、図１に示す実施の形態１における給湯器の構成図を利用して説明する。本実施の形態は、実施の形態１で採用したファン出力検出手段９の構成が次のように異なり、それ以外の構成並びに作用効果は同じなので詳細な説明を省略し、異なるところを中心に説明する。
【００４２】
一般的に、長期間の使用で給湯器の排気口や給気口に埃が付着して閉塞気味になると、燃焼空気の供給が不足になりバーナ７の燃焼状態が悪くなる。このような状態を検出する手段として、ファン出力検出手段９が設けてある。
【００４３】
本実施の形態のファン出力検出手段９は、バーナ７の燃焼時間が一定時間を経過した後、またはバーナ７の燃焼量が一定量以上で燃焼した後に、バーナ７の燃焼が停止した場合、もしくは装置が停止している場合に、１日の内の所定時間、例えば使用者が設定した最初の使用開始から１時間の間だけにおいて、ファン８を一定時間回転させた後に、ファン８の出力値を検出し、ファン出力値が一定値よりも低い場合には外部入力手段１２の表示部１４にエラー表示または装置の使用を停止させ、それ以外の時間においてはファン８の
出力値の検出比較はもちろん、ファン８の一定時間の回転も行わない構成にしてある。
【００４４】
以上のように構成することにより、給湯器の排気口や給気口が長期にわたる使用で埃などが付着して閉塞気味になり、良好燃焼に必要な空気が得られなくなりバーナ７の燃焼が悪くなった状態にあった時では、給湯器の運転を停止するとファン出力検出手段９は、ファン８が燃焼停止後の一定時間回転しているので、ファン８の出力値を検出し、ファン出力値が一定値よりも低いことを検出し、この検出信号を受けてエラー表示手段１１により外部入力手段１２の表示部１４にエラー表示をする、または装置の次の使用を停止させる。
【００４５】
そして、このようなファン出力検出手段９によるファン８の出力値を一定値との比較を、１日の内の所定時間、例えば使用者が設定した最初の使用開始から１時間の間だけにおいて、ファン８を一定時間回転させた後に、ファン８の出力値を検出し、ファン出力値が一定値よりも低い場合には外部入力手段１２の表示部１４にエラー表示または装置の使用を停止させ、それ以外の時間における給湯器の使用においてはファン８の出力値の検出比較はもちろん、ファン８の一定時間の回転も行わない。
【００４６】
従って、予め決めた１日の所定の時間にのみ、ファン８を一定時間回転させた後に、ファン出力の検出を行うことができるので、使用者は、ファン出力の検出を行うファン回転による振動がいつ行われるかを知ることができ、壁から部屋の中等に振動を伝える時間が分かり、使用者は不快に感じてしまうという課題を抑制することができる。
【００４７】
（実施の形態４）
本発明の実施の形態４における燃焼装置である給湯器につき、図１に示す実施の形態１における給湯器の構成図を利用して説明する。本実施の形態は、実施の形態１で採用したファン出力検出手段９の構成が次のように異なり、それ以外の構成並びに作用効果は同じなので詳細な説明を省略し、異なるところを中心に説明する。
【００４８】
一般的に、長期間の使用で給湯器の排気口や給気口に埃が付着して閉塞気味になると、燃焼空気の供給が不足になりバーナ７の燃焼状態が悪くなる。このような状態を検出する手段として、ファン出力検出手段９が設けてある。
【００４９】
本実施の形態のファン出力検出手段９は、バーナ７の燃焼時間が一定時間を経過した後、またはバーナ７の燃焼量が一定量以上で燃焼した後に、バーナ７の燃焼が停止した場合、または装置が停止している場合に、ファン８の出力を制御するファン制御手段１０のメモリーに、ファン８の出力値の検出比較を行う、１日の定められた時間を設定し記憶させてあり、毎日その定められた時間になると、ファン８を予め設定してあるファンの回転速度を最大値もしくは一定値で一定時間回転させた後に、ファンの出力値を検出し、ファン出力値が一定の値よりも低い場合には、外部入力手段１２の表示部１４にエラー表示もしくは機器の使用を停止させ、それ以外の時間においてはファン８の出力値の検出比較はもちろん、ファン８の一定時間の回転も行わない構成にしてある。そして、使用者が自由に前記時間を設定することが可能に構成しても良い。
【００５０】
以上のように構成することにより、給湯器の排気口や給気口が長期にわたる使用で埃などが付着して閉塞気味になり、良好燃焼に必要な空気が得られなくなりバーナ７の燃焼が悪くなった状態にあった時では、給湯器の運転を停止するとファン出力検出手段９は、ファン８が燃焼停止後の一定時間回転しているので、ファン８の出力値を検出し、ファン出力値が一定値よりも低いことを検出し、この検出信号を受けてエラー表示手段１１により外部入力手段１２の表示部１４にエラー表示をする、または装置の次の使用を停止させる。
【００５１】
そして、このようなファン出力検出手段９によるファン８の出力値を一定値との比較を、ファン制御手段１０のメモリに記憶させてある、毎日その定められた時間になると、ファン８を予め設定してあるファンの回転速度を最大値もしくは一定値で一定時間回転させた後に、ファンの出力値を検出し、ファン出力値が一定の値よりも低い場合には、外部入力手段１２の表示部１４にエラー表示もしくは機器の使用を停止させ、それ以外の時間においてはファン８の出力値の検出比較はもちろん、ファン８の一定時間の回転も行わない。
【００５２】
従って、毎日その定められた時間のみ、ファン８を一定時間回転させた後に、ファン出力の検出を行うので、使用者は、ファン出力の検出を行うファン回転による振動がいつ行われるかを知ることができ、かつ使用者が自由に時間を設定することができるので、壁から部屋の中等に振動を伝える時間が分かり、使用者は不快に感じてしまうという課題を抑制することができる。
【００５３】
（実施の形態５）
本発明の実施の形態５における燃焼装置である給湯器につき、図１に示す実施の形態１における給湯器の構成図を利用して説明する。本実施の形態は、実施の形態１で採用したファン出力検出手段９の構成が次のように異なり、それ以外の構成並びに作用効果は同じなので詳細な説明を省略し、異なるところを中心に説明する。
【００５４】
一般的に、長期間の使用で給湯器の排気口や給気口に埃が付着して閉塞気味になると、燃焼空気の供給が不足になりバーナ７の燃焼状態が悪くなる。このような状態を検出する手段として、ファン出力検出手段９が設けてある。
【００５５】
本実施の形態のファン出力検出手段９は、バーナ７の燃焼時間が一定時間を経過した後、またはバーナ７の燃焼量が一定量以上で燃焼した後に、バーナ７の燃焼が停止した場合、または装置が停止している場合に、１度、ファン出力値の検出を終了してから、所定の時間を過ぎてもバーナが連続的な燃焼を行っているとき、強制的に燃焼停止状態にし、前記ファンを一定時間回転させた後に、ファンの出力値を検出し、ファン出力値が一定値よりも低い場合には前記外部入力手段にエラー表示または機器の使用を停止させるように構成したものである。
【００５６】
以上のように構成することにより、給湯器の排気口や給気口が長期にわたる使用で埃などが付着して閉塞気味になり、良好燃焼に必要な空気が得られなくなりバーナ７の燃焼が悪くなった状態にあった時では、給湯器の運転を停止するとファン出力検出手段９は、ファン８が燃焼停止後の一定時間回転しているので、ファン８の出力値を検出し、ファン出力値が一定値よりも低いことを検出し、この検出信号を受けてエラー表示手段１１により外部入力手段１２の表示部１４にエラー表示をする、または装置の次の使用を停止させる。
【００５７】
そして、このようなファン出力検出手段９によるファン８の出力値を一定値との比較を、１度終了してから、所定の時間を過ぎても、再度ファン８の出力の比較を行うときにバーナ７が連続的な燃焼を行っているとき、強制的に燃焼停止状態にし、ファン８を一定時間回転させた後に、ファンの出力値を検出し、ファン出力値が一定の値よりも低い場合には、外部入力手段１２の表示部１４にエラー表示もしくは機器の使用を停止させる。
【００５８】
従って、上記説明した実施の形態１〜４の各発明において、ファン出力値の検出を行う条件が来たときに、例えば、給湯器でも暖房燃焼装置が組み込まれている形態の機器のように、電源スイッチを切られることなく連続的な燃焼を行っていると、安全装置としての
機能を果たすことができない事態が考えられる。然るに本実施の形態では斯かる事態を、強制的にバーナを燃焼停止状態にし、ファン出力値の比較を行うので安全な燃焼装置を提供することができる。
【００５９】
（実施の形態６）
本発明の実施の形態６における燃焼装置である給湯器につき、図１に示す実施の形態１における給湯器の構成図を利用して説明する。本実施の形態は、実施の形態１〜５の発明おいて採用したファン出力検出手段９がファン出力値の検出を行うため、バーナ７の燃焼停止後にファン８は一定時間回転するが、その際にファン制御手段１０により所定のファン回転数までファン回転数を段階的に上昇させる構成にしたものであり、それ以外の構成並びに作用効果は同じなので詳細な説明を省略し、異なるところを中心に説明する。
【００６０】
一般的に、長期間の使用で給湯器の排気口や給気口に埃が付着して閉塞気味になると、燃焼空気の供給が不足になりバーナ７の燃焼状態が悪くなる。このような状態を検出する手段として、ファン出力検出手段９が設けてある。そして、実施の形態１におけるファン出力検出手段９では、バーナ７の燃焼停止後のファン８を一定時間、最大回転数に近い一定回転数で回転させたとき、ファン８の出力値を一定値との比較を行い、この１度の比較を終了してから、所定の時間、例えば１度比較したその日１日が過ぎないと、再度、ファン８の出力値の比較を行わないようにすると共に、バーナ７の燃焼停止後のファン８の回転も行わないように構成してある。
【００６１】
特に、本実施の形態ではファン制御手段１０は、バーナ７の燃焼停止後にファン８を一定時間回転させるファン出力検出手段９の信号を受けて、図２（ａ）に示すように所定のファン回転数までファン回転数を段階的に上昇させる構成にしたものである。
【００６２】
以上のように構成することにより、給湯器の排気口や給気口が長期にわたる使用で埃などが付着して閉塞気味になり、良好燃焼に必要な空気が得られなくなりバーナ７の燃焼が悪くなった状態にあった時では、給湯器の運転を停止するとファン出力検出手段９は、ファン８が燃焼停止後の一定時間、最大回転数に近い一定回転数で回転しているので、ファン８の出力値を検出し、ファン出力値が一定値よりも低いことを検出し、この検出信号を受けてエラー表示手段１１により外部入力手段１２の表示部１４にエラー表示をする、または装置の次の使用を停止させる。
【００６３】
そして、このようにファン出力検出手段９がファン出力値の比較を行う際、その信号を受けたファン制御手段１０は、ファン８を一定時間回転させるときに、図２（ａ）に示すように所定のファン回転数までファン回転数を段階的に上昇させ、所定の回転数に達したところでファン出力値の検出をファン出力検出手段９が行うのである。
【００６４】
従って、使用している給湯器の運転を停止させると、ファン出力検出手段９がファン出力値の比較作用に入ってファン８が徐々に回転数を上昇させていくので、図２（ｂ）に示す従来のように突然に最大回転数に近い一定回転数でファンが回転しないため、びっくりすることもなく、またファン回転を行うときに使用者に報知するようにすれば、なお一層、穏やかに装置を使用でき、壁から部屋の中等に急激に高速回転で回転するファン８の振動を伝えることがなく、使用者は不快に感じてしまうという課題を解決することができる。
【００６５】
なお、本実施の形態では、実施の形態１のファン出力検出手段９との組み合わせで本実施の形態の特徴を説明したが、実施の形態２〜５の発明に組み合わせても本実施の形態と同等の作用効果を期待できるものである。
【産業上の利用可能性】
【００６６】
以上のように、本発明にかかる燃焼装置は、バーナの燃焼停止を繰り返す度にファンが回転することがなくなり、例えば壁から部屋の中等に振動が伝わるのを軽減することができ、使用者は不快感をいだくことが無くなり、家庭用に限らず広く燃焼装置に適用できる。
【図面の簡単な説明】
【００６７】
【図１】本発明の実施の形態１〜６における燃焼装置の構成図
【図２】（ａ）本発明の実施の形態６における燃焼装置のファン動作のチャート（ｂ）従来の燃焼装置のファン動作のチャート
【図３】従来の燃焼装置を示す構成図
【符号の説明】
【００６８】
１  入水温度センサ
２  水量センサ
３  熱交換器
７  バーナ
８  ファン
９  ファン出力検出手段
１０  ファン制御手段
１１  エラー表示手段
１２  外部入力手段
【図１】
2008101863.tif 000003
【図２】
2008101863.tif 000004
【図３】
2008101863.tif 000005